(57)【特許請求の範囲】
【請求項１】
機器本体を収納する筐体と、前記筐体が設置される設置面に当接し、前記筐体の外面から突出する突出長さを変更する脚部とを備えた電子機器であって、
前記脚部は、
前記設置面に当接する脚部本体と、前記筐体の外面から突出するように設けられ前記脚部本体を支持する支持部材とを備え、
前記支持部材は、
前記筐体の外面に設けられる基部と、前記基部から突出し外周面にねじ溝が形成された突出部とを備え、
前記脚部本体は、
一端に前記突出部が挿入される挿入穴を有し、前記挿入穴の内周面に前記ねじ溝と螺合するねじ山が形成され、
前記突出部には、先端から前記突出部の突出方向に沿って延び、先端側が基端側より径が小さく段差部を有する抜け防止用孔が形成され、
前記脚部本体は、前記挿入穴内面から前記支持部材に向けて突出し、先端が屈曲した略Ｌ字状に形成され、前記抜け防止用孔に挿入される抜け防止用突起部を備え、
前記抜け防止用突起部は、前記抜け防止用孔に挿入された状態で前記支持部材と前記脚部本体との螺合が解除された際に、前記段差部に係合することを特徴とする電子機器。
【請求項２】
請求項１に記載の電子機器において、
前記支持部材は、前記筐体に対して着脱可能に構成されていることを特徴とする電子機器。
【請求項３】
請求項２に記載の電子機器において、
前記基部および前記筐体の外面は、前記支持部材が前記筐体に取り付けられた際に、互いに面で当接する当接面をそれぞれ有することを特徴とする電子機器。
【請求項４】
請求項２または請求項３に記載の電子機器において、
前記筐体には、前記支持部材を取付けるための開口部が形成され、
前記支持部材は、前記基部から突出し先端が屈曲した略Ｌ字形状を有し、前記開口部に挿入される取付用突起部を備え、前記開口部に挿入された状態で前記筐体に取り付けるための取付位置に移動された際に、前記基部と前記取付用突起部とで前記開口部の縁部を挟持することを特徴とする電子機器。
【請求項５】
請求項４に記載の電子機器において、
前記筐体には、前記取付位置に対応する位置に係止部が形成され、
前記基部には、前記支持部材が前記取付位置に移動された際に、前記係止部と嵌合する嵌合部が形成されていることを特徴とする電子機器。
【請求項６】
請求項１〜請求項５のいずれか一項に記載の電子機器において、
当該電子機器は、光源と、前記光源から射出された光束を画像情報に応じて変調する光変調装置と、前記光変調装置にて変調された光束を拡大投射する投射光学装置とを備えたプロジェクタであることを特徴とする電子機器。
【発明の詳細な説明】
【技術分野】
【０００１】
本発明は、機器本体を収納する筐体と、筐体が設置される設置面に当接し、筐体の外面から突出する突出長さを変更する脚部とを備えた電子機器に関する。
【背景技術】
【０００２】
従来、光源からの光束を光変調装置により画像情報に応じて変調し、変調された画像光を前方側に配置されたスクリーン等に投射するプロジェクタが知られている。
ところで、このようなプロジェクタでは、設置される設置面が傾いている場合には、投射される画像が傾いてしまう。
そこで、プロジェクタの筐体から突出する脚部の突出長さを変更することで、プロジェクタの姿勢状態を変更し、投射される画像の傾きを調整する技術が提案されている（例えば、特許文献１参照）。
【０００３】
特許文献１に記載の技術では、外装を形成する筐体には、内部に突出するボスが設けられている。また、ボスには、筐体の内外に連通し内周面にねじ山を有する孔が形成されている。脚部には、外周面にボスのねじ山と螺合するねじ溝が形成されている。以上の構成により、脚部は、ボスに対して回転されることで筐体からの突出長さを変更する。
【０００４】
【特許文献１】特開２００５−２３４３０７号公報
【発明の開示】
【発明が解決しようとする課題】
【０００５】
しかしながら、特許文献１に記載の技術では、筐体内部において、ボスを設ける空間、および脚部がボスを介して筐体内部に侵入する空間を確保する必要がある。そして、このような空間には他の構成部品を配置できないため、筐体内部のスペースを有効に利用することが難しい。また、筐体内部に上述した空間を確保する必要があるため、プロジェクタの小型化を阻害してしまう。
本発明は、上記課題を鑑みてなされたものであり、その目的は、筐体内部のスペースを有効に利用できるとともに、小型化が図れる電子機器を提供することにある。
【課題を解決するための手段】
【０００６】
本発明の電子機器は、機器本体を収納する筐体と、前記筐体が設置される設置面に当接し、前記筐体の外面から突出する突出長さを変更する脚部とを備えた電子機器であって、前記脚部は、前記設置面に当接する脚部本体と、前記筐体の外面から突出するように設けられ前記脚部本体を支持する支持部材とを備え、前記支持部材は、前記筐体の外面に設けられる基部と、前記基部から突出し外周面にねじ溝が形成された突出部とを備え、前記脚部本体は、一端に前記突出部が挿入される挿入穴を有し、前記挿入穴の内周面に前記ねじ溝と螺合するねじ山が形成され、前記突出部には、先端から前記突出部の突出方向に沿って延び、先端側が基端側より径が小さく段差部を有する抜け防止用孔が形成され、前記脚部本体は、前記挿入穴内面から前記支持部材に向けて突出し、先端が屈曲した略Ｌ字状に形成され、前記抜け防止用孔に挿入される抜け防止用突起部を備え、前記抜け防止用突起部は、前記抜け防止用孔に挿入された状態で前記支持部材と前記脚部本体との螺合が解除された際に、前記段差部に係合することを特徴とする。
【０００７】
本発明では、電子機器を構成する脚部は、設置面に当接する脚部本体と、筐体の外面から突出するように設けられ脚部本体を支持する支持部材とを備え、脚部本体と支持部材とは螺合されている。そして、脚部は、支持部材に対する脚部本体の螺合状態が変更されることで、筐体の外面から突出する突出長さを変更する。これによって、脚部が筐体外面に設けられることとなり、筐体内部に脚部を設ける空間を確保する必要がない。このため、筐体内部のスペースを有効に利用できる。また、筐体内部における上述した空間を省略することで、筐体の小型化、ひいては、電子機器の小型化が図れる。
また、脚部本体は、突出長さが長くなるように回転されてねじ山と支持部材のねじ溝との螺合が解除された際に、支持部材に形成された段差部に係合する抜け防止用突起部を有している。これによって、脚部本体は、支持部材から抜けてしまうことが抑制されるので、脚部本体を紛失する等の虞が低減する。
【０００８】
この電子機器において、前記支持部材は、前記筐体に対して着脱可能に構成されていることが好ましい。
【０００９】
本発明によれば、支持部材が筐体に対して着脱可能に構成されているので、脚部が破損した場合等に、脚部を交換することができ、利便性の向上が図れる。
【００１０】
この電子機器において、前記基部および前記筐体の外面は、前記支持部材が前記筐体に取り付けられた際に、互いに面で当接する当接面をそれぞれ有することが好ましい。
【００１１】
本発明では、基部および筐体の外面は、支持部材が筐体に取り付けられた際に、互いに面で当接する当接面をそれぞれ有しているので、筐体は、脚部に加わった荷重を当接面で受けることができる。これによって、筐体に集中荷重が加わることが低減されるので筐体の破損を抑制することが可能となる。
【００１２】
この電子機器において、前記筐体には、前記支持部材を取付けるための開口部が形成され、前記支持部材は、前記基部から突出し先端が屈曲した略Ｌ字形状を有し、前記開口部に挿入される取付用突起部を備え、前記開口部に挿入された状態で前記筐体に取り付けるための取付位置に移動された際に、前記基部と前記取付用突起部とで前記開口部の縁部を挟持することが好ましい。
【００１３】
本発明では、支持部材は、取付位置に移動されることで、基部とで筐体に形成された開口部の縁部を挟持する取付用突起部を備える。これによって、筐体内部を露出させずに筐体外部から脚部を交換でき、利便性の向上がさらに図れる。
【００１４】
この電子機器において、前記筐体には、前記取付位置に対応する位置に係止部が形成され、前記基部には、前記支持部材が前記取付位置に移動された際に、前記係止部と嵌合する嵌合部が形成されていることが好ましい。
【００１５】
本発明では、筐体および基部には、支持部材が取付位置に移動された際に、互いに嵌合する係止部および嵌合部がそれぞれ形成されている。これによって、係止部と嵌合部との嵌合を外さないと支持部材を取り外すことができないので、使用者が脚部を筐体から取り外すことを抑制することが可能となる。
【００１８】
本発明の電子機器は、光源と、前記光源から射出された光束を画像情報に応じて変調する光変調装置と、前記光変調装置にて変調された光束を拡大投射する投射光学装置とを備えたプロジェクタであることが好ましい。
【００１９】
本発明では、前述した脚部をプロジェクタが備えているので、プロジェクタは、前述した効果を有すると共に、投射された画像の傾きを調整することが可能となる。
【発明を実施するための最良の形態】
【００２０】
以下、本発明の実施形態を図面に基づいて説明する。
〔プロジェクタの主な構成〕
図１は、本実施形態に係る電子機器としてのプロジェクタの概略構成を模式的に示す平面図である。
プロジェクタは、光源から射出される光束を画像情報に応じて変調してカラー画像（画像光）を形成し、このカラー画像をスクリーン（図示略）等に拡大投射する。
図１に示すように、プロジェクタ１は、光学ユニット２、投射光学装置としての投射レンズ３、これらの機器本体を収納し外装を構成する筐体１０、筐体１０の外面に設けられる前脚部６、脚部７および固定脚８等を備える。
なお、図１において、具体的な図示は省略したが、筐体１０内において、光学ユニット２および投射レンズ３以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００２１】
光学ユニット２は、制御装置による制御の下、光源２１１から射出された光束を光学的に処理して画像情報に対応したカラー画像を形成するユニットである。光学ユニット２は、光源装置２１と、照明光学装置２２と、色分離光学装置２３と、リレー光学装置２４と、光学装置２５と、これら各光学部品２１〜２５を所定位置に配置する光学部品用筐体２６とを備える。
【００２２】
光源装置２１は、光源２１１およびリフレクタ２１２等を備える。そして、光源装置２１は、光源２１１から射出された光束がリフレクタ２１２によって射出方向が揃えられ、照明光学装置２２に向けて光束を射出する。
【００２３】
照明光学装置２２は、第１レンズアレイ２２１、第２レンズアレイ２２２、偏光変換素子２２３、および重畳レンズ２２４を備える。そして、光源装置２１から射出された光束は、第１レンズアレイ２２１によって複数の部分光束に分割され、第２レンズアレイ２２２の近傍で結像する。第２レンズアレイ２２２から射出された各部分光束は、その中心軸（主光線）が偏光変換素子２２３の入射面に垂直となるように入射し、偏光変換素子２２３にて略１種類の直線偏光光として射出される。偏光変換素子２２３から直線偏光光として射出され、重畳レンズ２２４を介した複数の部分光束は、光学装置２５の後述する３つの液晶パネル２５１上で重畳する。
【００２４】
色分離光学装置２３は、２枚のダイクロイックミラー２３１，２３２、および反射ミラー２３３を備え、これらのダイクロイックミラー２３１，２３２、反射ミラー２３３により照明光学装置２２から射出された複数の部分光束を赤、緑、青の３色の色光に分離する機能を有する。
リレー光学装置２４は、入射側レンズ２４１、リレーレンズ２４３、および反射ミラー２４２，２４４を備え、色分離光学装置２３で分離された色光、例えば、赤色光を光学装置２５の後述する赤色光側の液晶パネル２５１Ｒまで導く機能を有する。
【００２５】
光学装置２５は、光変調装置としての３つの液晶パネル２５１（赤色光側の液晶パネルを２５１Ｒ、緑色光側の液晶パネルを２５１Ｇ、青色光側の液晶パネルを２５１Ｂとする）と、各液晶パネル２５１の両面にそれぞれ配置された入射側偏光板および射出側偏光板と、色合成光学装置としてのクロスダイクロイックプリズム２５４とを備える。液晶パネル２５１は、入射側偏光板から入射した各色光を、それぞれに対応する画像情報に応じて変調し、射出側偏光板を通してクロスダイクロイックプリズム２５４に射出する。クロスダイクロイックプリズム２５４は、射出側偏光板から射出された色光毎に変調された各色光を合成してカラー画像を形成し、投射レンズ３に射出する。
【００２６】
投射レンズ３は、複数のレンズを組み合わせた組レンズとして構成され、光学ユニット２にて形成されたカラー画像をスクリーン上に拡大投射する。
【００２７】
図２は、プロジェクタ１を前方下側から見た斜視図である。
図２に示すように、筐体１０は、天面部４Ａ、前面部４Ｂ、背面部４Ｃ、および側面部４Ｄ，４Ｅを有するアッパーケース４、および底面部５Ａ、前面部５Ｂ、背面部５Ｃ、および側面部５Ｄ，５Ｅを有するロアケース５等で構成される。そして、各ケースは、互いにねじ等で固定されている。
【００２８】
前脚部６、脚部７および固定脚８は、プロジェクタ１が設置される設置面に当接し、プロジェクタ１を支持する。
【００２９】
前脚部６は、ロアケース５の底面部５Ａの前方側の略中央部に、底面部５Ａの外面から突出するように設けられている。前脚部６は、具体的な図示は省略するが、底面部５Ａの外面からの突出長さを変更可能に構成されている。そして、前脚部６は、突出長さが変えられることによって、プロジェクタ１の前後方向の傾斜を変えて、投射レンズ３から投射されるカラー画像の位置高さを変更する。
【００３０】
脚部７および固定脚８は、底面部５Ａの後方側の両隅部に、底面部５Ａの外面から突出するように設けられている。このうち、脚部７は、具体的には後述するが、前脚部６と同様に、底面部５Ａの外面からの突出長さを変更可能に構成されている。そして、脚部７は、突出長さが変えられることによって、プロジェクタ１の前後方向と略直交する左右方向の傾きを変えて、投射レンズ３から投射されるカラー画像の傾きを調整する。また、脚部７は、底面部５Ａに対して着脱可能に構成されている。
【００３１】
〔脚部の詳細な構成〕
図３、図４は、脚部７および脚部７が取り付けられる底面部５Ａの構造を示す分解斜視図である。具体的には、図３は、底面部５Ａの外面側から見た図である。図４は、底面部５Ａの内面側から見た図である。
図３、図４に示すように、底面部５Ａには、脚部７の配置位置に対応して、内面側に窪む凹部５１が形成されている。
凹部５１は、中央部が周囲よりさらに内面側に窪んだ２段状になっており、平面視で中心位置を同一にしてそれぞれ円形状に形成されている。この２段状に形成された円形状の面である、外側に位置する面５１Ａおよび中央側に位置する面５１Ｂは、底面部５Ａの外面と略平行になる平坦状の面として構成される。
【００３２】
面５１Ａには、この面の中心を通り面５１Ａと略垂直になる中心軸ＣＬを回転中心として回転方向に延出する円弧状の２つの開口部５２が形成されている。
開口部５２は、幅広部５２１と、延出方向に直交する幅寸法が幅広部５２１より狭く、中心軸ＣＬに近接する側で幅広部５２１と繋がる幅狭部５２２とを有している。
そして、２つの開口部５２は、中心軸ＣＬを中心として１８０°の回転対称となるようにそれぞれ形成されている。なお、幅狭部５２２の中心軸ＣＬに対して遠方側に位置する縁部を縁部５２３とする。
【００３３】
また、凹部５１には、面５１Ｂから面５１ＡにかけてＵ字状に切り欠かれた可撓部５３が形成されている。可撓部５３は、面５１Ｂ側に位置する基端を支点として、面５１Ａ側に位置する先端側が面５１Ａに対して略直交する方向（上下方向）に撓むことが可能になっている。
この可撓部５３の先端部分には、外面から突出する係止部としての突起５４が形成されている。
【００３４】
脚部７は、支持部材７１および脚部本体７２を有して構成されている。
支持部材７１は、凹部５１に取り付けられ、脚部本体７２を支持する。この支持部材７１は、基部７１１と、突出部７１２と、取付用突起部７１３とを備える。
基部７１１は、円形状の板体をしており、支持部材７１が凹部５１に取り付けられた際に、中心位置が中心軸ＣＬと略一致するように形成されている。基部７１１の一方の面７１Ａは、平坦状に形成されており、支持部材７１が凹部５１に取り付けられた際に、面５１Ａと互いに面で当接する。すなわち、面７１Ａおよび面５１Ａは、本発明に係る当接面に相当する。
面７１Ａには、支持部材７１が凹部５１に取り付けられた際に、突起５４と嵌合する嵌合部としての２つの孔７１６が形成されている。２つの孔７１６は、中心軸ＣＬを中心として１８０°の回転対称位置にそれぞれ形成されている。
【００３５】
突出部７１２は、基部７１１の他方の面７１Ｂから突出し、中心軸ＣＬに略一致する軸を有する円柱状に形成されている。この突出部７１２の外周には、ねじ溝７１７が形成されている。
また、この突出部７１２には、先端から突出方向に沿って延び、基部７１１を貫通する抜け防止用孔７１５が形成されている。抜け防止用孔７１５は、先端側が基端側より径が小さく段差部７１４を有する段付状に形成されている。
【００３６】
取付用突起部７１３は、２つ形成されており、支持部材７１が凹部５１に取り付けられる際に、２つの開口部５２にそれぞれ挿入される。取付用突起部７１３は、面７１Ａから突出し、先端が中心軸ＣＬから離間する方向に屈曲した略Ｌ字状を有し、面７１Ａから立ち上がる立上り部７１３１と、立上り部７１３１の先端から面７１Ａに略平行に屈曲した横設部７１３２とを有する。そして、立上り部７１３１および横設部７１３２は、開口部５２に対応して、中心軸ＣＬを中心とする回転方向に延出し、中心軸ＣＬに沿う方向から見て円弧状になっている。
ここで、立上り部７１３１は、幅狭部５２２よりも若干小さい厚み寸法を有するように形成されている。また、横設部７１３２は、面７１Ａとの離間寸法が縁部５２３の厚み寸法よりも若干大きい寸法を有するように形成されている。また、取付用突起部７１３の延出する方向の一方の端部には、面７１Ａから突出し、立上り部７１３１の端部と横設部７１３２の端部とを繋ぐ立壁部７１８が形成されている。立壁部７１８は、立上り部７１３１および横設部７１３２を補強する機能を有している。取付用突起部７１３の延出する方向の他方の端部は、支持部材７１が凹部５１に取り付けられる際に、縁部５２３が通るように開放されている。
そして、２つの取付用突起部７１３は、２つの開口部５２と同様に、中心軸ＣＬを中心として１８０°の回転対称位置にそれぞれ形成されている。
【００３７】
脚部本体７２は、支持部材７１に取り付けられ、プロジェクタ１が設置面に設置された際に設置面に当接する。脚部本体７２は、脚部ベース７３と、板状の滑り止め部材７４とを備える。
脚部ベース７３は、脚部７が凹部５１に取り付けられた際に、中心軸ＣＬに略一致する軸を有する円柱状に形成されている。
脚部ベース７３の一端には、他端に向けて窪み、突出部７１２が挿入される挿入穴７３４が形成されている。挿入穴７３４の内周面には、ねじ溝７１７と螺合するねじ山７３１が断続して形成されている。そして、脚部ベース７３は、突出部７１２が挿入された状態で、中心軸ＣＬを中心として回転されることで、ねじ山７３１とねじ溝７１７との螺合状態が変更されて中心軸ＣＬに沿って進退する。なお、脚部ベース７３の挿入穴７３４の周縁部の端面を端面７３Ａとする。
【００３８】
また、脚部ベース７３には、中心軸ＣＬを中心として対称に配置され、挿入穴７３４の底部分から脚部ベース７３の一端に向けて突出する３つの抜け防止用突起部７３２設けられている。
抜け防止用突起部７３２は、脚部ベース７３が支持部材７１に取り付けられる際に抜け防止用孔７１５に挿入される。抜け防止用突起部７３２は、先端が中心軸ＣＬと離間する方向に屈曲した略Ｌ字形状を有し、挿入穴７３４の底部分から立ち上がる立上り部７３２１と、立上り部７３２１の先端から屈曲した屈曲部７３２２とを有する。
そして、抜け防止用突起部７３２は、挿入穴７３４の底部分から屈曲部７３２２までの寸法が、挿入穴７３４の底部分からねじ山７３１までの高さ寸法より大きい寸法になるように形成されている。また、抜け防止用突起部７３２は、中心軸ＣＬから屈曲部７３２２の先端までの寸法が、中心軸ＣＬから段差部７１４までの寸法より大きくなるように形成されている。このような構成により、抜け防止用突起部７３２は、ねじ山７３１とねじ溝７１７との螺合状態が解除された際に、屈曲部７３２２が段差部７１４に当接し、支持部材７１からの脚部本体７２の抜けを防止する。
また、挿入穴７３４の底部分には、中心軸ＣＬに沿う方向から見て、ねじ山７３１および屈曲部７３２２が重なる部位およびその近傍に孔が形成されている。このような構成により、ねじ山７３１および屈曲部７３２２が形成され易い構造になっている。
【００３９】
脚部ベース７３の他端には、一端に向けて窪み、滑り止め部材７４が粘着される取付凹部７３５が形成されている。
また、脚部ベース７３の外周には、全周に渡って溝７３７が形成されており、使用者が脚部本体７２を回転させる際に、滑りにくく、回転させ易いようになっている。
【００４０】
滑り止め部材７４は、ゴム等の滑りを抑制する材料で形成され、取付凹部７３５に粘着材を介して固定される。そして、滑り止め部材７４は、プロジェクタ１が設置面に設置された際に設置面に当接する設置部としての機能を有する。
【００４１】
ここで、支持部材７１が凹部５１に取り付けられる様子について述べる。
図５は、支持部材７１が凹部５１に取り付けられた状態を示す断面図であり、脚部７の突出長さが最も短い場合の図である。
支持部材７１は、２つの取付用突起部７１３がそれぞれに対応する幅広部５２１（図４参照）に挿入され、面７１Ａが面５１Ａに対して面で当接されることで、ロアケース５に対して中心軸ＣＬを中心として回転できる状態になる。この状態では、可撓部５３は、突起５４の先端が支持部材７１の面７１Ａと当接し、ロアケース５の内面側に撓んだ状態になっている（図５において二点鎖線で示す）。
この状態から、支持部材７１が中心軸ＣＬを中心にして回転されると、立上り部７１３１が幅広部５２１から幅狭部５２２に挿入され、基部７１１と横設部７１３２とが縁部５２３を挟持する。さらに、支持部材７１が回転されると、縁部５２３を挟持していた範囲が徐々に大きくなる。そして、孔７１６が突起５４と嵌合する位置まで移動されると、可撓部５３は、その撓みが開放されて元の状態に戻り、突起５４と孔７１６とは嵌合する。その結果、図５に示すように、支持部材７１は、凹部５１に取り付けられる。このように、突起５４および孔７１６は、支持部材７１が凹部５１に取り付けられるための取付位置に対応した位置に設けられている。
【００４２】
次に、支持部材７１が凹部５１から取り外される様子について述べる。
支持部材７１は、突起５４がロアケース５の内面側に押し上げられて可撓部５３が撓み（図５において二点鎖線で示す）、孔７１６との嵌合が解除された状態になると、回転されることが可能となる。この突起５４と孔７１６との嵌合が解除された状態で、支持部材７１が取り付けられるときとは反対方向に回転されると、基部７１１と横設部７１３２とで縁部５２３を挟持していた範囲が徐々に小さくなっていく。そして、立上り部７１３１が幅狭部５２２から幅広部５２１まで移動されると、横設部７１３２と基部７１１とで縁部５２３を挟持していた範囲がなくなる。その結果、支持部材７１は、凹部５１から取り外されることができる。
【００４３】
次に、脚部７がロアケース５に取り付けられた状態で突出長さが変えられるときの動作について説明する。
図５に示す状態では、脚部７は、脚部ベース７３の端面７３Ａが支持部材７１の面７１Ｂと当接し、底面部５Ａの外面から滑り止め部材７４の先端までの突出長さＬが最も短い状態になっている。
図６は、ロアケース５に取り付けられた状態の脚部７の断面図であり、図５における脚部７の状態より突出長さＬが長い状態の断面図を示す。
図６に示すように、図５に示す状態から、脚部本体７２が支持部材７１に対して中心軸ＣＬを中心として回転されると、脚部本体７２は、端面７３Ａが面７１Ｂに対して離れる方向に移動し、突出長さＬは、図５における突出長さＬより長くなる。また、前述と反対方向に脚部本体７２が回転されると、突出長さＬは短くなる。このように、脚部本体７２は、支持部材７１に対して回転されることによって進退し、突出長さＬが変更される。
【００４４】
ここで、左右方向に傾斜した設置面にプロジェクタ１が設置された際に、脚部７の突出長さＬが変更されることによって投射される画像の傾きが調整される様子について説明する。
図７は、脚部７側が固定脚８側より高く傾斜している設置面ＴＢに設置されたプロジェクタ１が投射する様子を説明する図であり、図７（Ａ）は、前面側からみたプロジェクタ１の外観図、図７（Ｂ）は、（Ａ）の姿勢のプロジェクタ１から前方のスクリーンＳＣに投射された画像をプロジェクタ１側から見た図である。
図８は、脚部７側が固定脚８側より低く傾斜している設置面ＴＢに設置されたプロジェクタ１が投射する様子を説明する図であり、図８（Ａ）は、前面側からみたプロジェクタ１の外観図、図８（Ｂ）は、（Ａ）の姿勢のプロジェクタ１から前方のスクリーンＳＣに投射された画像をプロジェクタ１側から見た図である。なお、図７、図８は前脚部６を省略した図である。
【００４５】
プロジェクタ１は、脚部７および固定脚８の突出長さＬが同じ長さになっていると、脚部７側が固定脚８側より高く傾斜している設置面ＴＢに設置された際には、プロジェクタ１も設置面ＴＢに対応して傾いた姿勢となる。そして、図７（Ｂ）に示すように、スクリーンＳＣに投射された画像Ｉｓは、脚部７に対応する側が固定脚８に対応する側より高くなるように傾いた画像となる。一方、図７（Ａ）に示すように、プロジェクタ１が水平の姿勢になるように脚部７の突出長さＬを短くすると、傾いていた画像Ｉｓは、傾きの無い水平の画像Ｉａになる方向に調整される。
【００４６】
また、プロジェクタ１は、脚部７および固定脚８の突出長さＬが同じ長さになっていると、脚部７側が固定脚８側より低く傾斜している設置面ＴＢに設置された際には、プロジェクタ１も設置面ＴＢに対応して傾いた姿勢となる。そして、図８（Ｂ）に示すように、投射された画像Ｉｓは、脚部７に対応する側が固定脚８に対応する側より低くなるように傾いた画像となる。一方、図８（Ａ）に示すように、プロジェクタ１が水平の姿勢になるように脚部７の突出長さＬを長くすると、傾いていた画像Ｉｓは、傾きの無い水平の画像Ｉａになる方向に調整される。
【００４７】
次に、突出長さＬが最も長くなった状態の脚部７について説明する。
図９は、ロアケース５に取り付けられた状態の脚部７の断面図であり、脚部７の突出長さＬが最も長くなった状態を示す図である。
図９に示すように、脚部７は、脚部本体７２が回転されて突出長さＬが長くなっていくと、所定の位置でねじ山７３１とねじ溝７１７との螺合が解除される。この位置において、脚部本体７２は、３つの屈曲部７３２２が段差部７１４に係合して、支持部材７１に対して空回りする状態となる。よって、脚部本体７２を回転し続けても支持部材７１から脚部本体７２は、外れることはない。
【００４８】
以上説明したように、本実施形態のプロジェクタ１によれば、以下の効果を得ることができる。
（１）プロジェクタ１には、設置面ＴＢに当接する脚部本体７２と、ロアケース５の外面に設けられ脚部本体７２を支持する支持部材７１とを有して構成される脚部７が備えられている。そして、脚部７は、支持部材７１に対する脚部本体７２の螺合状態が変更されることで、ロアケース５の外面から突出する突出長さＬを変更する。これによって、脚部７は、ロアケース５の外面に設けられることとなり、筐体１０の内部に進入することがない。このため、筐体１０の内部に脚部７を設ける空間を確保する必要がなく、スペースを有効に利用できる。また、筐体１０の内部における上述した空間を省略することで、筐体１０の小型化、ひいては、プロジェクタ１の小型化が図れる。
【００４９】
（２）脚部７は、支持部材７１がロアケース５に対して着脱可能に構成されているので、脚部７が破損した場合等に、脚部７を交換することができ、利便性の向上が図れる。
【００５０】
（３）基部７１１および凹部５１は、支持部材７１がロアケース５に取り付けられた際に、互いに面で当接する面７１Ａ，５１Ａをそれぞれ有しているので、ロアケース５は、脚部７に加わった荷重を面５１Ａで受けることができる。これによって、ロアケース５に集中荷重が加わることが低減されるのでロアケース５の破損を抑制することが可能となる。
【００５１】
（４）支持部材７１は、開口部５２から挿入され、取付位置に移動されることで、基部７１１と取付用突起部７１３とで縁部５２３を挟持する。これによって、ねじ等を外して筐体１０内部を露出させずに筐体１０外面側から脚部７を交換できるため、利便性の向上がさらに図れる。
【００５２】
（５）ロアケース５および基部７１１には、支持部材７１が取付位置に移動された際に、互いに嵌合する突起５４および孔７１６がそれぞれ形成されている。これによって、突起５４と孔７１６との嵌合を外さないと支持部材７１を取り外すことができないので、使用者が脚部７をロアケース５から取り外すことを抑制することが可能となる。
【００５３】
（６）脚部本体７２は、突出長さＬが長くなるように回転されてねじ山７３１がねじ溝７１７との螺合が解除された際に、段差部７１４に係合する抜け防止用突起部７３２を有している。これによって、脚部本体７２は、支持部材７１から抜けてしまうことが抑制されるので、脚部本体７２を紛失する等の虞が低減する。
【００５４】
〔実施形態の変形〕
本発明は、前述の実施形態に限定されるものではなく、本発明の目的を達成できる範囲での変形、改良等は本発明に含まれるものである。
前記実施形態の支持部材７１は、ロアケース５と一体に形成されていてもよい。
【００５５】
前記実施形態では、支持部材７１は、ロアケース５に対して回転による移動によって取り付けられているが、回転以外の移動、例えば、ロアケース５の底面部５Ａの外面と略平行にスライドさせる等の移動によって取り付けられる構成であってもよい。
【００５６】
前記実施形態の脚部７および固定脚８は、左右どちら側に配置される構成であってもよい。また、固定脚８の代わりに脚部７を配置する構成とし、左右２つの脚部７でプロジェクタ１の傾きを調整してもよい。また、前記実施形態では、脚部７は、後方側に配置されているが、前方側に配置される構成であってもよい。なお、この場合には、後方側に備えられる脚は、左右方向において略中央部に一つ配置することが好ましい。
【００５７】
前記実施形態では、滑り止め部材７４は、設置面ＴＢと当接する側が平坦状に形成されているが、略球面に形成されていてもよい。また、脚部本体７２は、滑り止め部材７４が粘着材によって脚部ベース７３に取り付けられているが、他の手段によって取り付けられていてもよい。また、脚部本体７２は、脚部ベース７３と滑り止め部材７４とが一体に形成されていてもよい。
【００５８】
前記実施形態では、脚部ベース７３は、外形が円柱状に形成されているが他の形状、例えば、デザイン的に美観を盛り込んだ凹凸を有する面等が形成されていてもよい。
【００５９】
前記実施形態では、電子機器としてプロジェクタを採用しているが、傾きを調整する他の電子機器、例えば、テレビ等であってもよい。
【００６０】
前記実施形態の光学装置２５は、透過型の液晶パネル２５１を用いているが、反射型の液晶パネルを利用したものや、マイクロミラーを用いたデバイス等を使用したものであってもよい。
【産業上の利用可能性】
【００６１】
本発明は、筐体内部のスペースを有効に利用できるとともに、小型化が図れるので、企業内でのプレゼンテーションや、家庭内での映画鑑賞等の種々に用いられているプロジェクタに利用することができる。
【図面の簡単な説明】
【００６２】
【図１】本実施形態のプロジェクタの概略構成を模式的に示す平面図。
【図２】本実施形態のプロジェクタを前方下側から見た斜視図。
【図３】本実施形態の脚部および脚部が取り付けられる底面部の構造を示す分解斜視図。
【図４】本実施形態の脚部および脚部が取り付けられる底面部の構造を示す分解斜視図。
【図５】本実施形態の支持部材が凹部に取り付けられた状態を示す断面図。
【図６】本実施形態のロアケースに取り付けられた状態の脚部の断面図。
【図７】脚部側が固定脚側より高く傾斜している設置面に設置されたプロジェクタが投射する様子を説明する図。
【図８】脚部側が固定脚側より低く傾斜している設置面に設置されたプロジェクタが投射する様子を説明する図。
【図９】本実施形態のロアケースに取り付けられた状態の脚部の断面図。
【符号の説明】
【００６３】
１…プロジェクタ、３…投射レンズ、５Ａ…底面部、７…脚部、１０…筐体、５１…凹部、５１Ａ，７１Ａ…面、５２…開口部、５４…突起、７１…支持部材、７２…脚部本体、２１１…光源、２５１…液晶パネル、５２３…縁部、７１１…基部、７１２…突出部、７１３…取付用突起部、７１４…段差部、７１５…抜け防止用孔、７１６…孔、７１７…ねじ溝、７３１…ねじ山、７３２…抜け防止用突起部、７３２２…屈曲部、７３４…挿入穴、Ｌ…突出長さ、ＴＢ…設置面。
【図１】
0004475319.tif 000002
【図２】
0004475319.tif 000003
【図３】
0004475319.tif 000004
【図４】
0004475319.tif 000005
【図５】
0004475319.tif 000006
【図６】
0004475319.tif 000007
【図７】
0004475319.tif 000008
【図８】
0004475319.tif 000009
【図９】
0004475319.tif 000010